(57)【要約】      （修正有）【課題】癌、糖尿病、高血圧、高コレステロール、高トリグリセリド血症、パーキンソン病、アルツハイマーを治療するマイナス水素水の製造設備を提供する。【解決手段】前フィルターユニット１と、マイナス水素イオン水製造装置２と、からなり、前フィルターユニット１は３本の樹脂フィルター１２ａ〜１２ｃを備え、原水を流し入れて淨化した後、マイナス水素イオン水製造装置２に水を送り、マイナス水素イオン水製造装置２内に設けられた８本の活性化フィルター２２ａ〜２２ｅ、２つのナノゴールド／プラチナ水濾過水生成装置２２ｉ、２２ｊ及び超微小化共振器によって人体が必要とする量子化されたミネラル及び微量元素等を水中に溶出し、特殊な物理の性質を利用してマイナス電位水素アルカリ性水を生成すると同時に、水分子クラスターを振動、解離させて小さくすることで、浸透性及び溶解力の高いエネルギー活性水を飲用水として提供し、人体の細胞を活性化し、新陳代謝を促進し、体質を改善する。【選択図】図１
0003215474.tif 000002
【実用新案登録請求の範囲】
【請求項１】
癌、糖尿病、高血圧、高コレステロール、高トリグリセリド血症、パーキンソン病、アルツハイマーを治療するマイナス水素水の製造設備であって、前記製造設備は、前フィルターユニットと、マイナス水素イオン水製造装置と、からなり、
前記前フィルターユニットには、水源を濾過する３本の樹脂フィルターが少なくとも設けられ、前記前フィルターユニットの両側にはそれぞれ水道パイプと互いに連接された入水口と、濾過された水を出す出水口が設けられ、
前記マイナス水素イオン水製造装置には筺体が設けられ、前記筺体外側の適所には前フィルターユニットの出水口と互いに連接された入水パイプと、出水蛇口に連結された出水パイプとがそれぞれ設けられ、前記パイプ内側には、８本の異なる濾材の活性化フィルターと、２つのナノゴールド濾過水生成装置と、超微小化共振器と、流量計が直列連接されることを特徴とする、癌、糖尿病、高血圧、高コレステロール、高トリグリセリド血症、パーキンソン病、アルツハイマーを治療するマイナス水素水の製造設備。
【請求項２】
マイナス水素イオン水製造装置の筺体の前側と後側には、それぞれ第１収容空間及び第２収容空間が設けられ、第１収容空間には、弾性固定器具によって４本のフィルターが固設され、フィルターの前端は入水パイプに連接され、未端は流量計に連接されるとともに、前記第１収容空間は、持上げ式フロントカバーによって蓋をされ、第２収容空間には、頂板上方によって２つの互いに通じ合うナノゴールド濾過水生成装置が設置され、頂板底部は互いに連結された連接台を固定することで、別の４本のフィルターを固設し、そのうちの１つのナノゴールド濾過水生成装置はパイプによって流量計に連結され、もう１つのナノゴールド濾過水生成装置は連接台の一端に連結され、さらに連接台の他端は、超微小化共振器によって出水パイプと互いに連接され、さらにバックカバーによって蓋をされることを特徴とする、請求項１に記載の癌、糖尿病、高血圧、高コレステロール、高トリグリセリド血症、パーキンソン病、アルツハイマーを治療するマイナス水素水の製造設備。
【考案の詳細な説明】
【技術分野】
【０００１】
本考案はマイナス水素水の製造設備に関し、特に、水質の清浄度を高める機能を備え、マイナス電位水素のアルカリ性の水質を生成することで、細胞を活性化させる効果を有する水質にし、抗酸化剤を含む、マイナス水素イオン水製造装置に関する。
【背景技術】
【０００２】
水は、生物にとって最も重要な構成要素であるとともに、すべての生物が生存するのに必要な重要な資源である。水は人体の体重の６０〜７０％を占めており、人は、１日に２〜３リットルの水を摂取する必要がある。それにより人体の新陳代謝が促進され、生理機能及び体内の化学反応が調節される。よって、水資源は、生命を維持するために非常に重要である。
【０００３】
しかしながら、水質汚染はますます深刻になっている。人体が汚染された水源から水を飲むと、水源に残留する重金属、化学物質の毒素、農薬、放射性粒子及びその他の有害物質が人体内部に蓄積され、人体の健康に影響を及ぼす。言うまでもなく、水道水に加えられた消毒用の塩素が沸騰することで発生するトリハロメタンは、肝毒性、腎毒性及び発癌性を有し、長期に渡って過剰に摂取すると、人体の新陳代謝が非常に悪くなる可能性がある上、膀胱癌や大腸癌、さらには妊婦の流産を誘発しやすい。よって、現在多くの家庭では、浄水器を設置しているとともに、淨水器内に設けられた複数のフィルターで水を濾過することによって、不純物が除去された飲料水を得ている。
【０００４】
さらに、多くの生化学の文献の報告から分かる通り、マイナス水素イオンは、その原子上にさらにもう１つ電子をもつことによって、マイナス電位を帯びてマイナスイオンになり、非常に強力な抗酸化力を有する。これを人体に応用すると、人体におけるプラスイオンとマイナスイオンのバランスを整える作用を備え、各種疾患を誘発する元凶である活性酸素ラジカルを効果的に除去し、細胞活性を増強することで、自然治癒力が向上し、細胞の健康が維持される。
【０００５】
しかしながら、一般家庭で使用されている浄水装置が提供する飲料水には、マイナス水素イオン活性化の効果がないため、上述の健康効果を達成することができない。
【考案の概要】
【考案が解決しようとする課題】
【０００６】
本考案は、水質を浄化するとともに、人体が必要とするミネラル及び微量元素を提供し、人体における神経等の痛み、痛風、糖尿病、高血圧、高脂血症、結石、心臓血管等の慢性疾患の予防効果をもつとともに、人体機能を整え、細胞を活性化させて生命力を強化し、老化を遅らせ、便秘及び不眠症等の症状を改善するマイナス水素水の製造設備を提供することを目的とする。
【課題を解決するための手段】
【０００７】
上述の目的を達成するために、本考案のマイナス水素水の製造設備は、主に前フィルターユニットと、マイナス水素イオン水製造装置と、からなる。前記前フィルターユニットの入水口は、水道パイプと連結しており、出水口は、マイナス水素イオン水製造装置を入水パイプに連接させ、３本の樹脂フィルターによって水中の不純物及び吸着した化学物質、重金属等の汚染された有害物質を濾過し、水質を浄化した後マイナス水素イオン水製造装置の方へと水が流れる。前記マイナス水素イオン水製造装置内には、８本の活性化フィルターと、２つのナノゴールド／プラチナ水濾過水生成装置と、超微小化共振器及び流量計が設けられるとともに、出水パイプによって出水蛇口と連結され、水源が各活性化フィルター、２つのナノゴールド／プラチナ水濾過水生成装置を通る時、量子化されたミネラル及び微量元素等を水中に溶出し、特殊な物理の性質を利用してマイナス電位水素アルカリ性水を生成する。超微小化共振器により微圧振動原理で水分子クラスターを縮小するとともに活性化させ、さらに浸透性及び溶解力の高いエネルギー活性水を生成し使用者に飲料水を提供する。
【０００８】
本考案のその他の特徴及び具体的な実施例をさらに分かりやすくするため、以下に図を組み合わせて詳しく説明する。
【図面の簡単な説明】
【０００９】
【図１】本考案の斜視外観図である。
【図２】本考案の構造分解図である。
【図３】本考案の正面図である。
【図４】本考案の別の斜視外観図である。
【図５】本考案の背面図である。
【図６】本考案のナノゴールド濾過水生成装置の断面図である。
【考案を実施するための形態】
【００１０】
図１、図２、４図を参照する。本考案は、前フィルターユニット１と、マイナス水素イオン水製造装置２と、からなる。前フィルターユニット１には、台座１１が設けられ、台座１１上には、３本の樹脂フィルター１２ａ〜１２ｃが設置され、両側には入水口１３及び出水口１４が設けられる。入水口１３はパイプによって水道と連結し、出水口１４はマイナス水素イオン水製造装置２の入水パイプ２５が連接される。前記マイナス水素イオン水製造装置２において、筺体２１の内部には８本の異なる濾材の活性化フィルター（２２ａ〜２２ｈ）と、２つのナノゴールド／プラチナ水濾過水生成装置（２２ｉ、２２ｊ）と、超微小化共振器２３及び流量計２４が直列連接される。水源は前フィルターユニット１によって濾過された後、さらにマイナス水素イオン水製造装置２に流れ込み、複数の活性化フィルター（２２ａ〜２２ｈ）及び超微小化共振器２３によって、マイナス水素イオン活性水が生成された後、再びマイナス水素イオン水製造装置２の出水パイプ２６から出水蛇口に流れ、飲用水を提供する。
【００１１】
図２を参照する。マイナス水素イオン水製造装置２の、筺体２１の前側と後側にはそれぞれ第１収容空間２１１及び第２収容空間２１２が設けられる。第１収容空間２１１には、弾性固定器具２７によって４本の活性化フィルター２２ａ〜２２ｄが固設され、フィルターの前端は入水パイプ２５と連接し、未端は流量計２４に連接されるとともに、第１収容空間２１１は、持上げ式フロントカバー２１３によって蓋をされる。後側の第２収容空間２１２は、頂板２８の上方によって位置決めフレーム２８１を結合することで、互いに通じ合う２つのナノゴールド／プラチナ水濾過水生成装置（２２ｉ、２２ｊ）を設置することができ、頂板２８の底部に互いに連結された連接台２９を固定することで、別の４本のフィルター２２ｅ〜２２ｈをすばやく固設する。さらにパイプによってそのうちの１つのナノゴールド濾過水生成装置２２ｉを流量計２４に連結し、もう１つのナノゴールド濾過水生成装置２２ｊは連接台２９の一端に連結する。連接台２９の他端は、超微小化共振器２３によって出水パイプ２６と互いに連接され、最後に第２収容空間２１２はバックカバー２１４によって蓋をされる。
【００１２】
図１と、図３〜図５を参照する。上述の前フィルターユニット１の３本の前樹脂フィルター１２ａ、１２ｂ、１２ｃ、及びマイナス水素イオン水製造装置２における８本の活性化フィルター（２２ａ、２２ｂ、２２ｃ、２２ｄ）と（２２ｅ、２２ｆ、２２ｇ、２２ｈ）は、それぞれ異なる機能を備える。
【００１３】
そのうち、前樹脂フィルターにおける第１フィルター１２ａは、超高密度繊維ＰＰ綿フィルターである。内径１ミクロンの繊維フィルターを使用することで、高い効果が得られ、低圧力差の効果があり、水中からほこり、沈泥、砂利、毛髪、さび、有機物、藻類、浮遊する微生物等の肉眼で見える粒子状異物を濾過して取り除くことができる。初めに水中の不純物を濾過することによって、活性化フィルターの負担を軽減する。
【００１４】
第２フィルター１２ｂは食用イオンフィルターであって、カドミウム、ヒ素、塩化物、有機物等の発癌性毒素といった人体に害のある重金属を濾過して取り除くことができるとともに、水中の石灰質を取り除き、水の硬度を下げて、さらに澄んだ、なめらかな水質にする。
【００１５】
第３フィルター１２ｃは活性炭強力フィルターであって、水中の塩素、異臭、異物、農業用化学物質及び重金属汚染等の化学有害物質を吸着することができ、水質を浄化する目的を達成する。
【００１６】
前記マイナス水素イオン水製造装置２の第１活性化フィルター２２ａは微量元素フィルターである。前記微量元素は、数種類の高山希少鉱物が高温で焼かれてできたエネルギー石であって、人体に必要なカルシウム、マグネシウム、ナトリウム、カリウム等の多種のミネラル及び微量元素を放出するとともに、通過した後に水がアルカリ性活性化され、血液循環の改善、免疫力の向上等の効果を有する。
【００１７】
第２活性化フィルター２２ｂは、マイナス電位水素生成装置であって、ナノ親水触媒材料を採用している。特殊な物理の性質を用いてＰＨが弱アルカリ性のマイナス水素イオンエネルギー水を生成するため、酸化還元効果を有し、原水（水道水）内のプラス電位（約＋３００ｏｒｐ）を効果的に変えることができ、装置によってマイナス電位の水（−３００ｏｒｐ）に変化する。水分子クラスターは、解離した後分散して小分子クラスターを形成するため、溶解力、浸透力が高まり、細胞活性化に有利であり、養分吸収及び廃棄物代謝を促進し、体内の余分な酸素及び活性酸素を中和して、人体の酸性・アルカリ性体質をバランス良くし、生理機能を高めることができる。
【００１８】
第３活性化フィルター２２ｃは高酸素生成装置である。天然トルマリン複合元素によってエネルギー元素セラミックス（１３５０度で焼成）を生成することで、超高酸素波動エネルギーを放出することができ、溶存酸素及びエネルギーの高い小分子クラスター水を生成することができるとともに、左回転性量子共振装置によって、分解反応した後、水溶性塩化カルシウムが生成され、さらにシュウ酸カルシウムを分解する効果を達成する。
【００１９】
第４活性化フィルター２２ｄは、π化磁気エネルギー共振装置である。磁波により水分子クラスターが共振されることで再度活性化され、水垢を防ぐとともに、水分子クラスターを小さくしてπ化させ、エネルギーをもたせることで、水質を活性化することができ、溶存酸素量及び溶解力が増大する。さらに細胞を活性化させて体内の廃棄物毒素を代謝し、血液循環を促進するとともに、養分と酵素の供給速度を高め、新陳代謝を高め、免役力を向上させ、体質を改善する効果がある。さらに抗菌効果を有し、天然の良質な健康水になる。
【００２０】
第５活性化フィルター２２ｅは、麦飯石フィルターである。麦飯石は、爆発した火山の溶岩であり、数千万年かけて形成された天然石鉱物である。麦飯石には、カルシウム、マグネシウム、ナトリウム、カリウム等の多種の人体に非常に有益な微量元素が含まれるとともに、クロム、銅、カドミウム、ヒ素等の重金属といった水中の有害な重金属イオン及び水中の残留塩素を効果的に吸着することで、通過後に鉱化した水質が多種の人体に不可欠なミネラル及び微量元素を放出するだけでなく、水中のペーハー値を調整し、酸素含有量を高め、アルカリ性活性化イオン水を生成するため、人体にとって非常に有益である。
【００２１】
第６活性化フィルター２２ｆは、左旋性π化フィルターである。第６活性化フィルター２２ｆは、遠赤外線鉱石を採用してそれをナノ化し、さらに新たに焼成結合して圧縮エネルギーを与えるとともに、強力なエネルギーによって水を振動させ、切断して、活性化することで、溶存酸素及びエネルギーの高い小分子クラスター水が生成される。迅速に養分、高い酸素及びエネルギーを細胞に吸収させることで、細胞を活性化させ、体内の新陳代謝を調整する。
【００２２】
第７活性化フィルター２２ｇは、ＫＤＦ活性炭フィルターである。ＫＤＦは、電化学酸化還元法によって水中の汚染物質を除去する高純度銅合金濾材であるとともに、銅と亜鉛の屑を混ぜ合わせて生成した濾材である。ＫＤＦは、重金属と酸基イオンを効果的に除去することができ、水の活性化を高め、細菌の成長速度を遅くして塩素を除去する効果を有する。さらに活性炭は、水中の遊離塩素、消毒水、化学残留物等を吸着するとともに、ジクロロエチレン、漂白剤、農薬、トリハロメタン、異臭、塩素、マグネシウム、有機物及びその他のような有害な化学毒等を除去し、同時に弱アルカリ性の水質にする。
【００２３】
第８活性化フィルター２２ｈは、ナノ銀抗菌性フィルターである。第８活性化フィルター２２ｈは、ハイテクナノ化技術によって、銀イオンを活性化させて大きくし、活性炭と結合させることによって、活性炭が有機高分子物質を吸着する力が数倍以上も強くなり、水中における細菌の繁殖を効果的に抑制して細菌を除去するとともに、有害な化学物質を吸着して、そのまま飲める水の基準を確実に満たす。
【００２４】
８本の活性化フィルター（２２ａ〜２２ｈ）のほかに、さらに結合されたナノ超微小化共振器２３が、前記フィルターによって淨化された飲用水を前記ナノ超微小化共振器２３によって濾過する時、微気圧振動原理によって水質を気泡化することによって、水分子クラスターを小さくするとともに、活性化させて使用者に飲用水として提供する。これにより、人体にさらに吸収されやすくなり、人体の細胞の活性化、新陳代謝が促進される等の効果が達成される。さらに、本考案のマイナス水素イオン水製造装置２の中には、さらに検出警告機能を備えた流量計２４が設けられ、前記流量計２４の設計によって総濾過量を検出することができ、各フィルター及びエネルギー元素等の単体の消耗材が飽和量に達した時、自動で断水して使用者に交換を促すことができ、飲用水の安全が確保される。
【００２５】
さらに図２、図４〜図６を参照する。本考案のマイナス水素イオン水製造装置２内の２つのナノゴールド／プラチナ水濾過水生成装置（２２ｉ、２２ｊ）の内部にはそれぞれ複合型セラミックエネルギー濾材２２１が詰められ（図６に図示）、そのうち１つのナノゴールド濾過水生成装置２２ｉ内のセラミックエネルギー濾材２２１は、ナノ技術によってナノゴールドをナノゴールド粒子にし、もう１つのナノゴールド濾過水生成装置２２ｊはナノプラチナをナノプラチナ粒子にする。さらに前記ゴールド／プラチナ水ナノ粒子を粘土基材にそれぞれ添加し、焼結してゴールド／プラチナ水ナノ粒子を含む複合型セラミックエネルギー濾材２２１を製造する。前記複合型セラミックエネルギー濾材２２１の製造過程において、粘土基材に遠赤外線粉粒体、麦飯石粉粒体、電気石粉粒体、またはアルグ石粉粒体等の各種天然鉱物質の基礎材料を加えることができ，特殊製造技術によって複合焼結されることで生成される。
【００２６】
本考案の２つのナノゴールド／プラチナ水濾過水生成装置（２２ｉ、２２ｊ）は、水質を浄化する効果を備えるだけでなく、水中の不純物及び化学物質、重金属等の汚染された有害物質を効果的に濾過して取り除く。同時に細菌の繁殖を効果的に抑制し、水質を活性化させるとともに、ナノ級のゴールド／プラチナ微量元素を放出し、水質が抗酸化作用を持つようにし、分子クラスターを細分化し、さらにきれいであるとともに高い浸透性及び抗酸化力を備えるナノゴールドエネルギー水を使用者に飲用水として提供する。同時に前記ナノゴールドエネルギー水が人体に入ると、比較的速く細胞を活性化させることができ、人体の細胞が必要とするミネラル、養分が速く吸収されるようにすることができるとともに、人体に必要のない廃棄物及び毒素等を代謝を速めて体外に排出することで、生理機能を調整し、老化防止及び健康促進の使用效果を達成すると同時に、さらに体質を改善し、細胞を活性化させ、免疫力を増強させることができ、病気の三大原因（高血脂、高血糖、高血圧）、痛風、神経系統、肝臓、腎臓、癌…等の各種慢性疾患の発生率を抑えることができる。
【００２７】
要約すると、本考案は、精製され、汚染されておらず、適度な硬度の、浸透・吸収率の高い良質な水を提供するとともに、さらに水質を活性化させることができることで、人体が必要とするミネラル及び微量元素を提供し、体質を調整し、生理機能を強化することができ、使用者が安心して飲めるだけでなくさらに健康を促進するため、確かに実用価値を備える。
【符号の説明】
【００２８】
１．．前フィルターユニット
１１．．台座
１２ａ．．前樹脂フィルターの第１フィルター
１２ｂ．．前樹脂フィルターの第２フィルター
１２ｃ．．前樹脂フィルターの第３フィルター
１３．．入水口              １４．．出水口
２．．マイナス水素イオン水製造装置
２１．．筺体                ２１１．．第１収容空間
２１２．．第２収容空間          ２１３．．フロントカバー
２１４．．バックカバー        ２２ａ．．第１活性化フィルター
２２ｂ．．第２活性化フィルター        ２２ｃ．．第３本の活性化フィルター
２２ｄ．．第４活性化フィルター        ２２ｅ．．第５活性化フィルター
２２ｆ．．第６活性化フィルター        ２２ｇ．．第７活性化フィルター
２２ｈ．．第８活性化フィルター
２２ｉ．．ナノゴールド水濾過水生成装置
２２ｊ．．ナノプラチナ水濾過水生成装置
２２１．．セラミックエネルギー濾材
２３．．超微小化共振器      ２４．．流量計
２５．．入水パイプ          ２６．．出水パイプ
２７．．弾性固定器具              ２８．．頂板
２８１．．位置決めフレーム
２９．．連接台
【図１】
0003215474.tif 000003
【図２】
0003215474.tif 000004
【図３】
0003215474.tif 000005
【図４】
0003215474.tif 000006
【図５】
0003215474.tif 000007
【図６】
0003215474.tif 000008